【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
デジタル画像を表示する画像表示手段と、
色度図を表示する色度図表示手段と、
前記画像表示手段によって表示されたデジタル画像または前記色度図表示手段により表示された色度図で指定された色を選択する選択手段と、
前記選択手段によって選択された色に対応する色オブジェクトを、前記色度図上の前記選択された色に対応する位置に表示する色オブジェクト表示手段と、
ユーザ操作に応答して、前記色オブジェクト表示手段により表示された色オブジェクトを、前記色度図上で移動させる、色オブジェクト移動手段とを有し、
前記色オブジェクト表示手段は、前記色オブジェクト移動手段により移動された色オブジェクトについて、移動後の色オブジェクトと移動前の色オブジェクトとを、前記色度図表示手段において表示された色度図上に表示することを特徴とする画像処理装置。
【請求項２】
前記色オブジェクト表示手段は、前記移動後の色オブジェクトと前記移動前の色オブジェクトとを関連付けて前記色度図上に表示することを特徴とする請求項１記載の画像処理装置。
【請求項３】
前記色オブジェクト表示手段は、前記移動後の色オブジェクトと前記移動前の色オブジェクトとを、前記移動後の色オブジェクトと前記移動前の色オブジェクトを結ぶ線を前記色度図上に表示することによって関連付けて表示し、前記線は、線分、線分矢印、点線、および点線矢印のいずれかであることを特徴とする請求項２に記載の画像処理装置。
【請求項４】
前記色度図表示手段は、色相、彩度、明度を表すための２つの図を表示することを特徴とする請求項１ないし３のいずれか１項に記載の画像処理装置。
【請求項５】
前記色度図表示手段は、色相、彩度を示す色相・彩度平面図と、明度を表す明度平面図とを表示し、
前記色オブジェクト表示手段は、前記選択された色の色相及び再度に対応する色オブジェクトを前記色相・彩度平面図上に、前記選択された色の明度に対応する色オブジェクトを前記明度平面図上にそれぞれ表示することを特徴とする請求項４に記載の画像処理装置。
【請求項６】
前記色オブジェクト移動手段は、前記色相・彩度平面図上の色オブジェクトを移動させるユーザ操作がなされた場合は、当該操作に応じて前記色相・彩度平面図上の色オブジェクトを移動させると共に、前記色相・彩度平面図上の色オブジェクトの移動に応じて、前記明度平面図上の色オブジェクトを移動させることを特徴とする請求項５に記載の画像処理装置。
【請求項７】
前記色オブジェクト移動手段は、前記色相・彩度平面図上の色オブジェクトを移動させるユーザ操作に応じて前記明度平面図上の色オブジェクトを移動させる場合、前記明度平面図上の色オブジェクトが表す明度は変化させずに、当該色オブジェクトの前記明度平面図上の表示位置を前記明度平面図上で移動させることを特徴とする請求項６に記載の画像処理装置。
【請求項８】
前記色オブジェクト移動手段は、前記明度平面図上の色オブジェクトを移動させるユーザ操作がなされた場合は、前記色相・彩度平面図上の色オブジェクトの表示位置を移動させずに、前記明度平面図上の色オブジェクトのみを移動させることを特徴とする請求項５ないし７のいずれか１項に記載の画像処理装置。
【請求項９】
前記色オブジェクト表示手段は、前記色相・彩度平面図上の色オブジェクトの表示位置に対応させて明度平面図上の色オブジェクトを表示することを特徴とする請求項５ないし８のいずれか１項に記載の画像処理装置。
【請求項１０】
前記色相・彩度平面図および前記明度平面図は円形状に表示され、
前記色相・彩度平面図においては円の半径方向に彩度が変化し、前記明度平面図においては円の半径方向に明度が変化するように表示されることを特徴とする請求項５ないし９のいずれか１項に記載の画像処理装置。
【請求項１１】
前記色オブジェクト移動手段は、前記明度平面図上の色オブジェクトを移動させるユーザ操作がなされた場合は、前記明度平面図の円の中心と色オブジェクトを通る円の半径上で前記色オブジェクトを移動させることを特徴とする請求項１０に記載の画像処理装置。
【請求項１２】
前記色オブジェクト表示手段は、前記色相・彩度平面図の円の中心通り上下方向に引かれた直線と、前記色相・彩度平面図の円の中心と前記色相・彩度平面図上の色オブジェクトとを通る直線が成す角度と、前記明度平面図の円の中心を通り上下方向に引かれた直線と、前記明度平面図の円の中心と前記明度平面図上の色オブジェクトとを通る直線とが成す角度とが等しくなるように前記明度平面図上の色オブジェクトを表示することを特徴とする請求項１０または１１に記載の画像処理装置。
【請求項１３】
前記色オブジェクト移動手段は、前記選択手段で選択された色を起点として、色オブジェクトを移動させるユーザ操作を複数回受付可能であることを特徴とする請求項１ないし１２のいずれか１項に記載の画像処理装置。
【請求項１４】
前記画像表示手段は、前記選択手段により選択された色を、前記移動後の色オブジェクトが表す色に変換させた前記デジタル画像を表示することを特徴とする請求項１ないし１３のいずれか１項に記載の画像処理装置。
【請求項１５】
前記画像表示手段は、前記変換を行う前の前記デジタル画像と、前記変換を行った後の前記デジタル画像とを同時に表示することを特徴とする請求項１４に記載の画像処理装置。
【請求項１６】
前記色度図表示手段は、
Ｌ＊ａ＊ｂ＊表色系、ＸＹＺ表色系、マンセル表色系、ＲＧＢ表色系、ＵＣＳ表色系、およびＬ＊ｃ＊ｈ表色系のいずれかの表色系の色度図を表示することを特徴とする請求項１に記載の画像処理装置。
【請求項１７】
画像表示手段が、表示装置にデジタル画像を表示する画像表示工程と、
色度図表示手段が、前記表示装置に色度図を表示する色度図表示工程と、
選択手段が、前記デジタル画像または前記色度図で指定された色を選択する選択工程と、
色オブジェクト表示手段が、前記選択工程により選択された色に対応する色オブジェクトを、前記色度図上の前記選択された色に対応する位置に表示する色オブジェクト表示工程と、
色オブジェクト移動手段が、ユーザ操作に応答して、前記色オブジェクト表示工程により表示された色オブジェクトを、前記色度図上で移動させる、色オブジェクト移動工程とを有し、
前記色オブジェクト表示工程では、前記色オブジェクト移動工程により移動された色オブジェクトについて、移動後の色オブジェクトと移動前の色オブジェクトとを、前記色度図上に表示することを特徴とする画像処理方法。
【請求項１８】
コンピュータを、請求項１ないし１６のいずれか１項に記載の画像処理装置の各手段として機能させるためのプログラム。
【請求項１９】
請求項１８記載のプログラムを記録したコンピュータ読み取り可能な記録媒体。
【手続補正２】
【補正対象書類名】明細書
【補正対象項目名】０００８
【補正方法】変更
【補正の内容】
【０００８】
前記の課題を解決するために、本願発明の画像処理装置は、デジタル画像を表示する画像表示手段と、色度図を表示する色度図表示手段と、画像表示手段によって表示されたデジタル画像または色度図表示手段により表示された色度図で指定された色を選択する選択手段と、選択手段によって選択された色に対応する色オブジェクトを、色度図上の選択された色に対応する位置に表示する色オブジェクト表示手段と、ユーザ操作に応答して、色オブジェクト表示手段により表示された色オブジェクトを、色度図上で移動させる、色オブジェクト移動手段とを有し、色オブジェクト表示手段は、色オブジェクト移動手段により移動された色オブジェクトについて、移動後の色オブジェクトと移動前の色オブジェクトとを、色度図表示手段において表示された色度図上に表示することを特徴とする。